(57)【要約】  【課題】  ランプ取付け時と取外し時とに同じクリック感が得られるとともに、ソケットの寸法誤差にも柔軟に対応可能かつ舌片が破断しにくい片口金ランプを提供する。  【解決手段】  係合溝がソケットの取付面に形成された係合片と係合するところまで片口金形ランプを回転し、前記係合溝と前記係合片とを係合させてソケットに取り付ける取付構造における、片口金形ランプにおいて、前記被取付面には、前記片口金形ランプがソケット取付状態にあるときの、前記ソケットの取付面に形成された穴部に嵌合して、前記係合片と前記係合溝とを係合および解除自在とする突部を有する舌片が設けられ、且つ、前記舌片は、平面視における前記被取付面の回転中心と前記舌片の根本と前記突部の中央とを結ぶ直線方向に延出されている。  【選択図】  図１
2005285508.tif 000002
【特許請求の範囲】
【請求項１】
ソケット取付状態において前記ソケットの取付面と対向する被取付面の略中央に軸体が突設され、かつ前記被取付面の周縁に係合溝が形成された片口金形ランプの前記軸体を、前記ソケットの取付面に穿設された凹部に差し込み、前記係合溝が、前記ソケットの取付面に形成された係合片と係合するところまで前記片口金形ランプを回転し、前記係合溝と前記係合片とを係合させて前記ソケットに取り付ける取付構造における、片口金形ランプであって、
前記被取付面には、前記片口金形ランプがソケット取付状態にあるときの、前記ソケットの取付面に形成された穴部に嵌合して、前記係合片と前記係合溝とを係合および解除自在とする突部を有する舌片が設けられ、
且つ、前記舌片は、平面視における前記被取付面の回転中心と前記舌片の根本と前記突部の中央とを結ぶ直線方向に延出されていることを特徴とする片口金形ランプ。
【請求項２】
前記舌片は、前記突部の周囲を囲むように設けられたスリットに囲まれて前記被取付面に形成されていることを特徴とする請求項１記載の片口金形ランプ。
【請求項３】
前記舌片は、平面視における前記被取付面の回転中心と前記舌片の根本と前記突部の中央とを結ぶ直線を中心に、略線対称の形状とされていることを特徴とする請求項１または２に記載の片口金形ランプ。
【請求項４】
前記舌片は、厚みが０．９ｍｍ以上１．８ｍｍ以下であり、前記根本の幅が４．０ｍｍ以上であることを特徴とする請求項１乃至３のいずれか１項に記載の片口金形ランプ。
【請求項５】
前記舌片は、前記根本の幅Ｗ（ｍｍ）が、平面視における前記被取付面の回転中心と前記舌片の根本と前記突部の中央とを結ぶ直線方向の前記舌片の幅Ｌ（ｍｍ）よりも大きいことを特徴とする請求項１乃至４のいずれか１項に記載の片口金形ランプ。
【発明の詳細な説明】
【技術分野】
【０００１】
本発明は、片口金形ランプに関する。
【背景技術】
【０００２】
片口金形ランプ用として、２Ｇ８形の口金とソケットが従来公知である（特許文献１）。図９は、２Ｇ８形の口金７００を備えた片口金形ランプ６００と、口金７００に対応する２Ｇ８形のソケット５００を示している。
口金７００には、図１０に示すように、ソケット取付状態においてソケット５００と対向する被取付面７１０に、軸体７２０、係合部７３０、ロック突部（以下、突部という）７４０、ピン穴７５０および板ばね部７６０が設けられている。また、板ばね部７６０は、被取付面７１０に突部７４０を囲むように設けられた略コ字形のスリット７６１を形成し、そのスリットに囲まれて設けられたものであって、被取付面７１０とは一箇所で繋がっており、その繋がった箇所が前記板ばね部７６０の根本７６２となっている。そして、板ばね部７６０の根本７６２の幅の中点と突部７４０とを結ぶ線は被取付面７１０の回転中心とはまじわらないよう設けられている。
【０００３】
一方、ソケット５００は、図１１（ａ）および（ｂ）に示すように、ソケット取付状態において口金７００と対向する取付面５１０に、凹部５２０、係合片５３０、ロック穴部（以下、穴部という）５４０およびピン溝５５０が設けられている。
片口金形ランプ６００は、口金７００の軸体７２０をソケット５００の凹部５２０に差し込み回転させることによって、前記ソケット５００に取り付けられる。前記差込み回転動作によって、ソケット５００の係合片５３０が、口金７００の係合部７３０の係合溝７３１内に収まり係合するとともに、被取付面７１０の被取付面７１０のピン穴７５０から突出するランプピン６２０が、ピン溝５５０内に挿入されソケット５００内の図示しない接触子と電気的に接続される。
【０００４】
口金７００の突部７４０は、意図しない原因により片口金形ランプ６００が逆回転して、係合片５３０と係合溝７３１との係合が解除され、前記片口金形ランプ６００が外れ落ちるのを防止するために設けられている。突部７４０は、係合片５３０が係合部７３０の係合溝７３１内に収まり始める直前は、穴部５４０の第１窪み部分５４１内に嵌り込んでいるが、前記係合片５３０が前記係合溝７３１内に完全に収まるに従って、前記第１の窪み部分５４１から土手部分５４２を乗り越えて第２窪み部分５４３内へ嵌り込む。そして、突部７４０は、板ばね部７６０によってソケット５００側へと付勢されているため、前記突部７４０を第２窪み部分５４３から第１窪み部分５４１へと移動させるためには、すなわち逆回転させるためには、前記板ばね部７６０の付勢力に対抗できるだけの押込み強度を前記突部７４０に加えながら、片口金形ランプ６００を逆回転させなければならない。
【０００５】
ところで、板ばね部７６０は、根本７６２が一箇所にしか存在しない片持支持構造のばねである。そのため、図１２（ａ）および（ｂ）に示すように、ランプ取付け時、突部７４０が矢印方向へ動いた際に土手部分５４２と接触する点（以下、作用点）Ｐ５から板ばね部７６０の根本７６２の幅の中点までの距離Ｄ３と、ランプ取外し時に突部７４０が矢印方向へ動いた際の作用点Ｐ６から前記根本７６２の幅の中点までの距離Ｄ４とが異なるため、ランプ取付け時と取外し時とでは、突部７４０が穴部５４０内を土手部分５４２を乗り越えて移動するときの手応え（以下、クリック感）が異なっていた。
【０００６】
これに対し、図１３に示すような板ばね部８６０を備えた２Ｇ８形の口金８００がＩＥＣ（国際電気標準会議）規格案において従来公知である（非特許文献１）。図１３に示す板ばね部８６０は、被取付面８１０に一対の略平行するスリット８６１を形成して設けられたものであって、前記板ばね部８６０の両端側が被装着面８１０と繋がっており、その繋がった箇所がそれぞれ前記板ばね部８６０の根本８６２ａ、８６２ｂとなっている。したがって、ランプ取付け時における作用点Ｐ７からこの作用点Ｐ７側の根本８６２ａの幅の中点までの距離Ｄ５と、ランプ取外し時における作用点Ｐ８から根本８６２ｂの幅の中点までの距離Ｄ６とが同等であるため、ランプ取付け時と取外し時とに同じクリック感を得ることができる。
【特許文献１】ＥＰ  １３４８９０２Ａ１
【非特許文献１】ＩＥＣ  規格案  Ｂ０３０９４  ３４Ｂ  １０９９  ＣＤＶ
【発明の開示】
【発明が解決しようとする課題】
【０００７】
ところが、図１３の板ばね部８６０は、上述の通り根本が両端２箇所に存在する両端支持構造のばねであるため、弾性変形する度合いが小さかった。そのため、板ばね部８６０の弾性により突部８４０が沈み込む深さ（以下、変位量）の変動幅が小さく、ソケット５００の寸法誤差に対して柔軟に対応することができなかった。また、突部８４０が板ばね部８６０の中央に設けられているため，中央に応力が集中してしまい板ばね部８６０の破断が生じやすかった。
【０００８】
本発明は、上記した課題に鑑み、ソケットの寸法誤差に柔軟に対応が可能でかつ板ばね部が破断しにくいとともに、ランプ取付け時と取外し時に同程度のクリック感を得ることのできる片口金ランプを提供する。
【課題を解決するための手段】
【０００９】
上記目的を達成するため、請求項１記載の本発明に係る片口金形ランプは、ソケット取付状態において前記ソケットの取付面と対向する被取付面の略中央に軸体が突設され、かつ前記被取付面の周縁に係合溝が形成された片口金形ランプの前記軸体を、前記ソケットの取付面に穿設された凹部に差し込み、前記係合溝が、前記ソケットの取付面に形成された係合片と係合するところまで前記片口金形ランプを回転し、前記係合溝と前記係合片とを係合させて前記ソケットに取り付ける取付構造における、片口金形ランプであって、前記被取付面には、前記片口金形ランプがソケット取付状態にあるときの、前記ソケットの取付面に形成された穴部に嵌合して、前記係合片と前記係合溝とを係合および解除自在とする突部を有する舌片が設けられ、且つ、前記舌片は、平面視における前記被取付面の回転中心と前記舌片の根本と前記突部の中央とを結ぶ直線方向に延出されている構成を有する。
【００１０】
また、請求項２記載の本発明に係る片口金形ランプは、請求項１記載の片口金形ランプにおいて、前記舌片は、前記突部の周囲を囲むように設けられたスリットに囲まれて前記被取付面に形成されている構成を有する。
さらに、請求項３記載の本発明に係る片口金形ランプは、請求項１または２記載の片口金形ランプにおいて、前記舌片は、平面視における前記被取付面の回転中心と前記舌片の根本と前記突部の中央とを結ぶ直線を中心に、略線対称の形状とされている構成を有する。
【００１１】
さらにまた、請求項４記載の本発明に係る片口金形ランプは、前記舌片は、厚みが０．９ｍｍ以上１．８ｍｍ以下であり、前記根本の幅が４．０ｍｍ以上である構成を有する。
さらに、請求項５記載の本発明に係る片口金形ランプは、請求項１から４記載の片口金形ランプにおいて、前記舌片は、前記根本の幅Ｗ（ｍｍ）が、平面視における前記被取付面の回転中心と前記舌片の根本と前記突部の中央とを結ぶ直線方向の前記舌片の幅Ｌ（ｍｍ）よりも大きい構成を有する。
【発明の効果】
【００１２】
本発明に係る片口金形ランプは、平面視における前記被取付面の回転中心と前記舌片の根本と前記突部の中央とを結ぶ直線方向に延出された舌片を備えているため、ランプ取付け時および取外し時に同程度のクリック感が得られ、ランプの取り扱い者に片口金形ランプを適正に着脱しているとの安心感を与えることができる。さらに、確かなクリック感が得られるため、片口金形ランプが取り付けられたことを明確に確認することができ、片口金形ランプが中途半端な状態で取り付けられることがないため安全性が高い。
【００１３】
また、舌片は片端支持構造であり、前記舌片に突部が設けられ、さらに前記舌片は平面視における被取付面の回転中心と前記舌片の根本と前記突部の中央とを結ぶ直線方向に延出されているため、突部の変位量の変動幅を大きくでき、ソケットの寸法誤差に対して柔軟に対応して前記突部を穴部に適正な状態で嵌合させることができ、片口金形ランプの歩留まりを良好にできる。
【００１４】
また、スリットは、突部の周囲を囲むように打ち抜き構造とすれば、口金の構造が複雑にならないため口金の成形加工が容易である。したがって、片口金形ランプを安価に製造することができる。また、両端支持構造の舌片と比べて被取付面の打抜き部分の範囲を小さくすることができるため、口金の強度が低下しにくい。
さらに、平面視における被取付面の回転中心と突部の中央とを結ぶ直線を中心に略線対称の形状とすれば、ランプ取付け時と取外し時のクリック感がより近いものになり、ランプ取り扱い者に、より安心感を得ることができる。
【００１５】
さらにまた、舌片は、厚みを０．９ｍｍ以上１．８ｍｍ以下とし、根本の幅を４．０ｍｍ以上とすれば、舌片を十分な強度にすることができる。
加えて、舌片の根本の幅を、平面視における被取付面の回転中心と突部の中央とを結ぶ直線方向の幅よりも大きくすれば、前記舌片に十分な押込み強度を与えることができる。
【発明を実施するための最良の形態】
【００１６】
以下、本発明の実施の形態に係る片口金形ランプについて、図面を参照しながら説明する。
（片口金形ランプの説明）
図１は、本発明の実施の形態に係る２Ｇ８形口金を備えた片口金形ランプと２Ｇ８形ソケットとを示す斜視図であり、図２は、口金の被取付面を示す斜視図であり、図３における（ａ）は口金を示す平面図、（ｂ）は（ａ）におけるＡ−Ａ線に沿った断面矢視図である。
【００１７】
片口金形ランプ１００は、図１に示すように、発光管１１０と２Ｇ８形の口金２００とを備え、２Ｇ８形のソケット５００に着脱自在に取り付けられる。
口金２００は、ポリブチレンテレフタレート（ＰＢＴ）製であって、図２に示すように、ソケット５００と対向する平面視略円形の被取付面２１０に、軸体２２０、係合部２３０、突部２４０、ピン穴２５０および舌片２６０が設けられている。なお、口金２００は、ＰＢＴ製のものに限定されない。
【００１８】
軸体２２０は、略円柱状であって被取付面２１０の略中央に突設されている。
係合部２３０は、被取付面２１０の周部の４箇所に等間隔をあけて設けられているとともに、各係合部２３０にはそれぞれ係合溝２３１が形成されている。
突部２４０は、片口金形ランプ１００が振動等の原因により逆回転して外れ落ちることを防止するためのものであって、高さが１．５ｍｍ、図３に示すように平面視における直径が３．０ｍｍの略半球形状である。
【００１９】
ピン穴２５０は、軸体２２０を挟んだ両側にそれぞれ２個づつ計４個が被取付面２１０の直径方向に沿って一列に配置されており、各ピン穴２５０からはそれぞれソケット５００側に向けてランプピン１２０が突出している。
舌片２６０は、被取付面２１０の一部を打ち抜いて形成されたものであって、一端側が前記被取付面２１０と繋がる根本２６２となっており、板ばねとしての機能を果たす。具体的には、打抜き部分は、突部２４０の周囲を囲むように形成された幅１．１ｍｍの略コ字形のスリット２６１に囲まれて形成されたものであって、前記スリット２６１の両端部間が舌片２６０の根本である。
【００２０】
なお、スリット２６１は、被取付面２１０を打ち抜いて形成されたものであると表現したが、実際には、口金２００成形時に、口金材料の樹脂がスリット予定部に流れ込まないようにして形成されている。すなわち、スリット２６１は、口金２００の成形時に形成されるものでも良く、一旦口金２００が成形された後にスリット予定部を打ち抜いて形成するものでも良い。
【００２１】
舌片２６０は、図３（ａ）に示すように、平面視における被取付面２１０の回転中心Ｐ１と突部２４０の中央Ｐ２とを結ぶ直線Ｌ１方向に根本２６２から前記被取付面２１０の外側へ向けてそれぞれ延出されている。そして、舌片２６０は、前記直線Ｌ１を中心に略線対称の形状とされている。
舌片２６０の長さＬ（ｍｍ）、すなわち前記直線Ｌ１方向における突部２４０の中央Ｐ２から根本２６２まで距離は、２．０ｍｍである。また、舌片２６０の幅Ｗ（ｍｍ）、すなわちスリット２６１の両端部を結ぶ接線の長さは、７．０ｍｍである。さらに、図３（ｂ）に示すように、舌片２６１の肉厚Ｔ（ｍｍ）は、１．５ｍｍである。
【００２２】
なお、舌片２６０に関する前記長さＬ（ｍｍ）、幅Ｗ（ｍｍ）および肉厚Ｔ（ｍｍ）は、それぞれ前記の値に限定されない。ただし、長さＬ（ｍｍ）は、口金５００の寸法がＩＥＣ規格案によって規定されているため、１０．０ｍｍ以上にすることは難しい。また、舌片２６０が良好な強度を得るためには、後述するように幅Ｗ（ｍｍ）が長さＬ（ｍｍ）よりも大きいことが望ましい。さらに、肉厚Ｔ（ｍｍ）は、樹脂の反りを防止するために１．２ｍｍ以上であることが望ましく、樹脂の退け防止のために１．７ｍｍ以下であることが望ましい。
【００２３】
ソケット５００は、背景技術において説明した図１１に示す２Ｇ８形のソケット５００と同一のソケットである。ソケット５００の口金２００と対向する取付面５１０には、図１１に示すように、凹部５２０、係合片５３０、穴部５４０およびピン溝５５０が設けられている。
凹部５２０は、取付面５１０の略中央に穿設されており、係合片５３０は、前記取付面５１０の周部から外側に張り出すように４箇所に設けられている。
【００２４】
穴部５４０は、口金２００の回転方向に２つ並べて配置された第１窪み部分５４１と第２窪み部分５４３とを有し、前記第１窪み部分５４１と第２窪み部分５４３との間には土手部分５４２が設けられている。第１窪み部分５４１および第２窪み部分５４３は、突部２４０の形状に合わせた略半球状である。
ピン溝５５０は、片口金形ランプ１００を回転させる際のランプピン１２０の移動軌跡に対応するように形成された長穴であって、口金２００の回転方向に沿って内外２列で平行に形成されている。ピン溝５５０は、一端側がランプピン１２０の入口用であって、他端部側内部にはランプピンに対応して図示しない接触子が配置されている。
【００２５】
以上説明した２Ｇ８形の口金２００およびソケット５００において、口金２００の軸体２２０、係合部２３０、突部２４０およびピン穴２５０、並びに、ソケット５００の凹部５２０、係合片５３０、穴部５４０およびピン溝５５０の位置、大きさ、形状などはＩＥＣ規格案によって規格化されている。一方、舌片２６０については同規格案によって規格化されていない。
【００２６】
片口金形ランプ１００は、口金２００の軸体２２０をソケット５００の凹部５２０に差し込み、片口金形ランプ１００を時計回りに回転させることによって、ソケット５００に着脱自在に取り付けられる。前記差込み回転動作によって、ソケット５００の係合片５３０が口金２００の係合部２３０の係合溝２３１内に収まり，係合部２３０と係合片５３０とが係合する。また、ピン穴２５０から突出するランプピン１２０が、ピン溝５５０内に挿入され前記ピン溝５５０内を移動して図示しない接触子と電気的に接続される。なお、片口金形ランプ１００を取り外す際は、前記片口金形ランプ１００を反時計回りに回転させて係合片５３０を係合部２３０の係合溝２３１から引き抜くようにして行われる。
【００２７】
突部２４０は、係合片５３０が前記係合溝２３１内に収まり始める直前において、ソケット５００の穴部５４０の第１窪み部分５４１内に嵌り込んでいるが、前記係合片５３０が前記係合溝２３１内に完全に収まるに従って、前記第１の窪み部分５４１から土手部分５４２を乗り越えて第２窪み部分５４３内へ嵌り込む。突部２４０は、舌片２６０の復元力によって穴部５４０側へ付勢されており、突部２４０を第２窪み部分５４３から第１窪み部分５４１へと移動させるためには、舌片２６０の付勢力に対抗できるだけの押込み強度を突部２４０に加えながら、片口金形ランプ１００を反時計回りに回転させなければならず、容易に片口金形ランプ１００が外れないようになっている。
（実験の説明）
図４は、舌片の支持構造が突部の変位量に及ぼす影響を説明するグラフである。図４において、曲線Ａは、本実施の形態に係る片端支持構造の舌片２６０に関し、曲線Ｂは、図１３に示すような両端支持構造の板ばね部８６０に関する。
【００２８】
２Ｇ８形の口金の舌片の押込み強度は、当業者の間では、４０以上９０Ｎ以下であることが望ましいとされている。すなわち、ランプを取り扱う者が十分なクリック感を感じ、かつ、突部２４０を穴部５４０に適正に嵌合させるための付勢力を得るためには、押込み強度が４０Ｎ以上である必要があり、着脱の際に片口金形ランプ６００を回転させる取り扱い者に固過ぎると感じさせないためには９０Ｎ以下である必要がある。
【００２９】
曲線Ａで示す片端支持構造の舌片２６０は、押込み強度が４０Ｎの時の変位量が０．５ｍｍである。したがって、片口金形ランプ１００をソケット５００に取り付けた際に生じる口金２００の被取付面２１０と前記ソケット５００の取付面５１０との隙間の幅が１．０ｍｍであったとしても、高さ１．５ｍｍの突部２４０が土手部分５４２を乗り越えるために４０Ｎの押込み強度が必要となるため、十分なクリック感を得ることができる。また、押込み強度が９０Ｎの時の変位量が１．４ｍｍである。したがって、前記隙間の幅が０．１ｍｍしかない場合でも、突部２４０が土手部分５４２を乗り越えるために必要な押込み強度が９０Ｎで済むため、片口金形ランプ１００を回転させる時に固いとは感じない。
【００３０】
一方、曲線Ｂで示す両端支持構造の板ばね部８６０では、押込み強度が４０Ｎの時の変位量が０．６５ｍｍである。したがって、前記隙間の幅が１．０ｍｍであると、突部８４０が土手部分５４２を乗り越えるために必要な押込み強度は４０Ｎ未満となるため、十分なクリック感が得られない。また、押込み強度が９０Ｎの時の変位量が１．２５ｍｍである。したがって、前記隙間の幅が０．１ｍｍであると、突部８４０が土手部分５４２を乗り越えるために必要な押込み強度は９０Ｎよりも大きくなるため、片口金形ランプ６００を回転させる際に固く感じられ、さらには板ばね部８６０が破断する虞もある。
【００３１】
以上の説明から明らかなように、片端支持構造の舌片２６０は、押込み強度が４０〜９０Ｎの範囲内における変位量の変動幅ａが０．９ｍｍであり、両端支持構造の板ばね部８６０は、押込み強度が４０〜９０Ｎの範囲における変位量の変動幅ｂが０．６ｍｍである。このように、片端支持構造の舌片２６０は、両端支持構造の板ばね部８６０よりも変位量の変動幅が大きいため、設計の自由度が高くソケット５００の寸法誤差に柔軟に対応できる。
【００３２】
また、図４に示すように、片端支持構造の舌片２６０は、変位量が１．９ｍｍに達するまで破断しないため、片口金形ランプ１００をソケット５００に取り付けた際に生じる口金２００の被取付面２１０と前記ソケット５００の取付面５１０との隙間の幅がどんなに狭くなろうとも、高さ１．５ｍｍ（ＩＥＣ規格案  ＣＡＰ２Ｇ８  ２頁（７））の突部２４０が土手部分５４２を乗り越える際に前記舌片２６０が破断することがなく、ＩＥＣの規格案を十分に満足できる構成を有している。一方、両持支持構造の板ばね部８６０は、変位量が１．４ｍｍになると破断してしまうため、前記隙間の幅が０．１ｍｍよりも狭いと、上述したように前記板ばね部８６０が破断する虞がある。
【００３３】
図５（ａ）は、ランプ取付け時における舌片の作用点の位置を説明する図、（ｂ）は、ランプ取外し時における舌片の作用点の位置を説明する図である。
図５（ａ）および（ｂ）に示すように、ランプ取付け時、突部２４０が矢印方向へ動いた際の作用点Ｐ３から根本２６２までの距離Ｄ１は、ランプ取外し時、突部２４０が矢印方向へ動いた際の作用点Ｐ４から根本２６２までの距離Ｄ２と同じである。したがって、本実施の形態における舌片２６０では、ランプ取付け時と取外し時のクリック感が同じであり、ランプ取り扱い者に安心感を与えることができる。
【００３４】
図６は、舌片２６０の長さＬ（ｍｍ）、幅Ｗ（ｍｍ）および肉厚Ｔ（ｍｍ）が突部の変位量に及ぼす影響を説明するグラフである。
図６におけるＣ、ＤおよびＥは、長さＬ（ｍｍ）および幅Ｗ（ｍｍ）が同じで、肉厚Ｔ（ｍｍ）の異なる舌片に関する。Ｃ、ＤおよびＥの舌片は、長さＬ（ｍｍ）が１０．０ｍｍ、幅Ｗ（ｍｍ）が１０．０ｍｍであり、肉厚Ｔ（ｍｍ）は、それぞれＣが１．２ｍｍ、Ｄが１．５ｍｍ、Ｅが１．７ｍｍである。図６に示すように、Ｃ、ＤおよびＥのいずれの舌片も必要とされる４０Ｎの押込み強度を満足に得られていない。そして、舌片の肉厚Ｔ（ｍｍ）は、上述したように１．２ｍｍ以上１．７ｍｍ以下の範囲内であることが望ましいため、最低限必要な４０Ｎの押込み強度を得るためには、幅Ｗ（ｍｍ）を長さＬ（ｍｍ）よりも大きくする必要がある。
（変形例）
本発明の片口金形ランプは、上述の片口金形ランプに限定されるものではなく、本発明の範囲内において、かつ、ＩＥＣ規格案の範囲内において、寸法、形状、構造、材質などを適宜変更可能である。
【００３５】
例えば、舌片の形状は、上述の形状に限定されず、図７に示す口金３００の舌片３６０のように、舌片３６０の根本３６２が被取付面３１０の外周側となり、舌片３６０の先端部３６３が被取付面３１０の中心側となるように、被取付面３１０に略コ字形のスリット３６１を形成して設けてもよい。すなわち、直線Ｌ１に沿う方向に根本２６２から被取付面２１０の中心側へ向けて舌片３６０が延出されていてもよい。
【００３６】
また、図８に示す口金４００の舌片４６０のように、被取付面４１０に円弧状のスリット４６１を形成して設けたものであってもよい。
さらに、舌片は、必ずしもスリットを形成することによって設けたものに限定されず、被取付面に開口を設けて、その開口を取り囲む被取付面の外周縁から開口内に向けて舌片を延出させたようなものであってもよい。
【産業上の利用可能性】
【００３７】
本発明は、片口金形ランプに利用できる。特に、２Ｇ８形のソケットに取り付けられる片口金形ランプに適している。
【図面の簡単な説明】
【００３８】
【図１】本発明の一実施形態に係る２Ｇ８形の口金を備えた片口金形ランプと２Ｇ８形のソケットとを示す斜視図である。
【図２】口金の被取付面を示す斜視図である。
【図３】（ａ）は、口金を示す平面図、（ｂ）は、（ａ）におけるＡ−Ａ線に沿った断面矢視図である。
【図４】舌片の支持構造が突部の変位量に及ぼす影響を説明するグラフである。
【図５】（ａ）は、ランプ取付け時における舌片の作用点の位置を説明する図、（ｂ）は、ランプ取外し時における舌片の作用点の位置を説明する図である。
【図６】舌片の長さＬ（ｍｍ）、幅Ｗ（ｍｍ）および肉厚Ｔ（ｍｍ）が突部の変位量に及ぼす影響を説明するグラフである。
【図７】変形例に係る片口金形ランプの口金を示す平面図である。
【図８】変形例に係る片口金形ランプの口金を示す平面図である。
【図９】従来の２Ｇ８形の口金を備えた片口金形ランプと２Ｇ８形のソケットとを示す斜視図である。
【図１０】従来の２Ｇ８形の口金を示す平面図である。
【図１１】（ａ）は、２Ｇ８形のソケットを示す平面図、（ｂ）は、（ａ）におけるＢ−Ｂ線に沿った断面矢視図である。
【図１２】（ａ）は、ランプ取付け時における舌片の作用点の位置を説明する図、（ｂ）は、ランプ取外し時における舌片の作用点の位置を説明する図である。
【図１３】従来の２Ｇ８形の口金を示す平面図である。
【符号の説明】
【００３９】
１００  片口金形ランプ
２００  口金
２１０  被取付面
２２０  軸体
２３１  係合溝
２４０  突部
２６０  舌片
２６１  打抜き部分
２６２  根本
５００  ソケット
５２０  凹部
５３０  係合片
５４０  穴部
【図１】
2005285508.tif 000003
【図２】
2005285508.tif 000004
【図３】
2005285508.tif 000005
【図４】
2005285508.tif 000006
【図５】
2005285508.tif 000007
【図６】
2005285508.tif 000008
【図７】
2005285508.tif 000009
【図８】
2005285508.tif 000010
【図９】
2005285508.tif 000011
【図１０】
2005285508.tif 000012
【図１１】
2005285508.tif 000013
【図１２】
2005285508.tif 000014
【図１３】
2005285508.tif 000015